【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
記録媒体に画像形成するカラー電子写真画像形成装置であって、
複数のカートリッジを取り外し可能に支持して、画像形成するために前記カートリッジを前記カラー電子写真画像形成装置の装置本体の内側に位置させる内側位置と、前記カートリッジを着脱可能にするために前記装置本体の外側に位置させる外側位置と、の間を移動するカートリッジ支持部材と、
前記カートリッジ支持部材に支持された電子写真感光体ドラムに静電潜像を形成する為の露光手段と、
前記電子写真感光体ドラムを駆動する駆動手段と、
前記電子写真感光体ドラムに形成された前記静電潜像が現像された画像が転写される中間転写ベルトと、
受信したプリントジョブに応じ画像形成の実行を制御するコントローラ部であって、受信しているプリントジョブの最後のプリントジョブの終了後に前記電子写真感光体ドラムを前記露光手段により露光して、露光した領域を前記中間転写ベルトに対向させた状態において前記駆動手段による前記電子写真感光体ドラムの駆動を停止させる制御をおこなうコントローラ部と、
を有することを特徴とするカラー電子写真画像形成装置。
【請求項２】
記録媒体に画像形成するカラー電子写真画像形成装置であって、
複数のカートリッジを取り外し可能に支持して、画像形成するために前記カートリッジを前記カラー電子写真画像形成装置の装置本体の内側に位置させる内側位置と、前記カートリッジを着脱可能にするために前記装置本体の外側に位置させる外側位置と、の間を移動するカートリッジ支持部材と、
前記カートリッジ支持部材に支持された電子写真感光体ドラムに静電潜像を形成する為の露光手段と、
前記電子写真感光体ドラムを駆動する駆動手段と、
前記電子写真感光体ドラムに形成された前記静電潜像が現像された画像が転写される記録媒体を静電的に吸着して搬送する記録媒体搬送ベルトと、
受信したプリントジョブに応じ画像形成の実行を制御するコントローラ部であって、受信しているプリントジョブの最後のプリントジョブの終了後に前記電子写真感光体ドラムを前記露光手段により露光して、露光した領域を前記記録媒体搬送ベルトに対向させた状態において前記駆動手段による前記電子写真感光体ドラムの駆動を停止させる制御をおこなうコントローラ部と、
を有することを特徴とするカラー電子写真画像形成装置。
【請求項３】
前記カートリッジは、前記電子写真感光体ドラムに形成された静電潜像を現像剤を用いて現像する現像ローラであって、前記静電潜像を現像する現像位置に位置する第１状態と、前記第１状態から退避した第２状態と、を取りうることが可能な現像ローラを備えており、
更に、前記カラー電子写真画像形成装置は、前記現像ローラを、前記第１状態と前記第２状態とに転換する転換手段と、を備え、前記コントローラ部は、前記最後のプリントジョブの終了後であって少なくとも前記露光した領域が前記現像位置を通過する間は、前記転換手段により前記現像ローラを前記第２状態に転換することを特徴とする請求項１又は２に記載のカラー電子写真画像形成装置。
【請求項４】
前記カートリッジは、前記電子写真感光体ドラムに形成された静電潜像を現像位置において現像剤により現像ローラを有し、
更に、前記電子写真画像形成装置は、前記現像ローラにバイアスを印加するバイアス印加手段と、を備え、前記コントローラ部は、前記最後のプリントジョブの終了後であって少なくとも前記電子写真感光体ドラムの露光した領域が前記現像位置を通過する間は、前記バイアス印加手段から前記現像ローラに印加するバイアスを、前記露光した領域の表面電位より、現像剤の帯電極性の反対側に大きいバイアスにすることを特徴とする請求項１又は２に記載のカラー電子写真画像形成装置。
【請求項５】
前記カートリッジ支持部材は、前記電子写真感光体ドラムの軸線と交差する方に移動可能であることを特徴とする請求項１乃至４のいずれか１項に記載のカラー電子写真画像形成装置。
【手続補正２】
【補正対象書類名】明細書
【補正対象項目名】００１０
【補正方法】変更
【補正の内容】
【００１０】
上記の目的を達成するための本発明に係るカラー電子写真画像形成装置の代表的な構成は、記録媒体に画像形成するカラー電子写真画像形成装置であって、複数のカートリッジを取り外し可能に支持して、画像形成するために前記カートリッジを前記カラー電子写真画像形成装置の装置本体の内側に位置させる内側位置と、前記カートリッジを着脱可能にするために前記装置本体の外側に位置させる外側位置と、の間を移動するカートリッジ支持部材と、前記カートリッジ支持部材に支持された電子写真感光体ドラムに静電潜像を形成する為の露光手段と、前記電子写真感光体ドラムを駆動する駆動手段と、前記電子写真感光体ドラムに形成された前記静電潜像が現像された画像が転写される中間転写ベルトと、受信したプリントジョブに応じ画像形成の実行を制御するコントローラ部であって、受信しているプリントジョブの最後のプリントジョブの終了後に前記電子写真感光体ドラムを前記露光手段により露光して、露光した領域を前記中間転写ベルトに対向させた状態において前記駆動手段による前記電子写真感光体ドラムの駆動を停止させる制御をおこなうコントローラ部と、を有することを特徴とする。
【手続補正３】
【補正対象書類名】明細書
【補正対象項目名】００１９
【補正方法】変更
【補正の内容】
【００１９】
装置１００において、カートリッジＰの交換は、ユーザビリティ向上のために、カートリッジＰをカートリッジトレイ（カートリッジ支持部材）４０に支持（収容）した状態で、トレイ４０を本体１００Ａの前側に引き出して行う構成としている。図２の（ｂ）はトレイ４０を本体１００Ａの前側に引き出した状態時の画像形成装置の斜視図、（ｃ）は断面説明図である。これによって、使用者が、本体１００Ａの前側（ドア３１が設けられている側）からカートリッジＰの交換を行うことができる（所謂フロントアクセス）。トレイ４０は、本体１００Ａに対してレール部材４１で支持されている。そして、トレイ４０は、使用者が把持部４０ａをもって前後方向にスライド可能に設けられている。ドア３１は本体１００Ａに対して軸３２を中心に回動可能に設けられている。ドア３１を本体１００Ａに対して図１のように閉じ込むことで本体１００Ａの前面の開口部３０が閉鎖される。ドア３１を図２の（ｂ）・（ｃ）のように開くことで開口部３０が開放される。そこで、本体１００Ａの内側位置Ｉに位置しているトレイ４０を、開口部３０を通過させて、本体１００Ａの外側に位置する外側位置Ｏに引き出して移動させることができる。また、逆に、その外側位置Ｏに引き出されているトレイ４０を押して、開口部３０を通過させて、本体１００Ａの内側に位置する内側位置Ｉに戻し移動させることができる。ここで、本体１００Ａとは、画像形成装置１００から、各カートリッジＰの構成を除いたものである。上記のように、トレイ４０は、カートリッジＰを支持して、本体１００Ａの内側に位置する内側位置Ｉと、本体１００Ａの外側に位置する外側位置Ｏと、の間を移動する。外側位置Ｏは、図２の（ｃ）のように、使用者がカートリッジＰをトレイ４０に対して着脱する位置（着脱可能にするための位置）である。外側位置Ｏでもって、トレイ４０に支持された（装着された）カートリッジＰは、使用者がトレイ４０を装置本体１００Ａ内に押し込むと内側位置Ｉに移動する。そして、カートリッジＰは、画像形成に寄与する画像形成位置ＰＳに位置する（図１の（ｂ））。本実施例において、画像形成位置ＰＳとは、ドラム１の一部分がベルト１３に接触している状態である。本実施例においては、トレイ４０が内側位置Ｉに位置した状態でドア３１が閉じられると、トレイ４０が下降してカートリッジＰは画像形成位置ＰＳに位置する。そして、ドア３１が開放されると、トレイ４０が上昇するのに連れてカートリッジＰも上昇する。これによって、本体１００Ａへのドラムの位置決めが解除される。より具体的には、ドアの開き動作に連動して、本体１００Ａ側においてドラムの自重を受ける位置に配置されている位置決めボスからドラムが退避する方向（ベルトから離れる方向）に移動される。この状態で、使用者がトレイ４０を開口部３０を通過させて装置本体１００Ａの外側位置Ｏに向かって引き出す（矢示Ｅ方向）。本実施例においては、引き出し方向Ｅにおいて最下流側に位置するカートリッジＰＫをトレイ４０に対して着脱する際には、トレイ４０が外側位置Ｏに位置していなくてもよい。このような場合であっても、トレイ４０はカートリッジＰが画像形成位置ＰＳに位置する場合よりも外側方向に向かって引き出されている。したがって、カートリッジＰは画像形成位置ＰＳに位置する場合よりも、本体１００Ａの手前側に引き出されているので、使用者がカートリッジＰの交換を行い易い。
【手続補正４】
【補正対象書類名】明細書
【補正対象項目名】００２０
【補正方法】変更
【補正の内容】
【００２０】
ここで、本実施例では、トレイ４０は本体１００Ａの設置面Ｆに対して水平方向に移動する。しかしながら、これに限定されずに、トレイ４０は本体１００Ａの設置面Ｆに対して、例えば斜め上方、或いは、斜め下方に直線的に移動してもよい。トレイ４０は、支持する（収容する、装着する）カートリッジＰの長手方向と直交する方向に直線的に移動する。カートリッジＰの長手方向とは、ドラム１の長手方向、又は、現像ローラ２ａの長手方向である。従って、トレイ４０はドラム１の軸線と交差する方向に移動可能である。また、本実施例において、カートリッジ着脱位置とは、トレイ４０に対してカートリッジＰの着脱を行う位置である。そして、カートリッジ着脱位置は、各カートリッジＰが画像形成位置ＰＳに位置している場合よりも、トレイ４０の引き出し方向Ｅにおいて、下流側に位置している。本実施例において、カートリッジ着脱位置とは、使用者が本体１００Ａの外側から、トレイ４０に支持されているカートリッジＰをトレイ４０から取り出すことができる位置である。及び、使用者が本体１００Ａの外側から、カートリッジＰをトレイ４０に支持させることができる位置である。したがって、カートリッジ着脱位置とは、本体１００Ａの外側に限定されるものではなく、本体１００Ａの内側であっても、トレイ４０に対してカートリッジＰの着脱を行うことができる位置ならばよい。また、本実施において、トレイ４０は、本体１００Ａに対してカートリッジの長手方向と直交する方向に、直線的に移動可能である。しかしながら、トレイ４０は、本体１００Ａに対してカートリッジの長手方向と平行な方向に、直線的に移動可能であってもよい。また、トレイ４０は、ストッパを解除することによって、装置本体１００Ａから取り外すことができるようにしてもよい。